(57)【要約】【課題】プレ記録モードで記録された動画に対し、ユーザの記録指示による記録を迅速にサーチできるようにする。【解決手段】  記録再生処理回路１６は、記録媒体（２２）に記録する動画に対しプレ記録時間を示す情報を記録する。サーチ再生の際、システム制御回路（２４）は、記録媒体（２２）に記録されるサーチ再生対象の動画に対し、プレ記録時間を示す情報を参照し、サーチ再生の開始点をユーザが動画記録開始を指示した時点に設定して、サーチ再生を開始する。【選択図】  図２
2010212802.tif 000002
【特許請求の範囲】
【請求項１】
撮像手段と、
記録媒体と、
動画の記録開始と記録停止を指示する記録開始停止手段と、
前記記録開始の指示に従い、前記撮像手段による動画像を前記記録媒体に記録し、前記記録停止の指示に従い、前記記録媒体への記録を停止する通常記録モードと、前記記録開始の指示に従い、前記記録開始の指示に先行するプレ記録期間を含めて前記撮像手段による動画像を前記記録媒体に記録し、前記記録停止の指示に従い、前記記録媒体への記録を停止するプレ記録モードを具備する記録処理手段であって、前記プレ記録モードで前記記録媒体に記録される動画のプレ記録時間を示す情報を記録する記録処理手段と、
前記記録媒体に記録される動画をサーチ再生する再生処理手段であって、前記記録媒体に記録される動画が前記プレ記録モードで記録された動画である場合に、正方向サーチのときには、前記記録開始の指示に相当する位置からサーチ再生を開始し、逆方向サーチのときには、前記記録開始の指示に相当する位置でサーチ再生を終了する再生処理手段
とを具備することを特徴とする撮像装置。
【請求項２】
撮像手段と、
記録媒体と、
動画の記録開始と記録停止を指示する記録開始停止手段と、
前記記録開始の指示に従い、前記撮像手段による動画像を前記記録媒体に記録し、前記記録停止の指示に従い、前記記録媒体への記録を停止する通常記録モードと、前記記録開始の指示に従い、前記記録開始の指示に先行するプレ記録期間を含めて前記撮像手段による動画像を前記記録媒体に記録し、前記記録停止の指示に従い、前記記録媒体への記録を停止するプレ記録モードを具備する記録処理手段であって、前記記録媒体に記録される動画のプレ記録時間を示す情報を記録する記録処理手段と、
前記記録媒体に記録される動画をサーチ再生する再生処理手段であって、正方向サーチの場合は、前記記録開始の指示に相当する位置からサーチ再生を開始し、逆方向サーチの場合は、前記録開始の指示に相当する位置でサーチ再生を終了する再生処理手段
とを具備することを特徴とする撮像装置。
【請求項３】
前記再生処理手段は、前記記録媒体に記録される動画の、前記プレ記録期間を示す情報を読み取る手段と、前記プレ記録期間を示す情報に従い、正方向サーチのサーチ再生の開始点と逆方向サーチの終了点を決定する手段とを具備することを特徴とする請求項１または２に記載の撮像装置。
【請求項４】
前記記録処理手段は、前記通常記録モードか前記プレ記録モードかを示す記録モード情報を前記記録媒体に記録される動画に記録することを特徴とする請求項１に記載の撮像装置。
【請求項５】
前記記録処理手段は、前記撮像手段による動画像を前記通常記録モードで前記記録媒体に記録する場合に、前記プレ記録期間を示す情報として記録期間が０秒であることを記録することを具備することを特徴とする請求項２に記載の撮像装置。
【発明の詳細な説明】
【技術分野】
【０００１】
本発明は、プレ記録機能を備える撮像装置に関する。
【背景技術】
【０００２】
【先行技術文献】
【特許文献】
【０００３】
【特許文献１】特開２０００−０１１５４１号公報
【特許文献２】特開２００４−１２０１７８号公報
【０００４】
デジタルビデオカメラ及びデジタルスチルカメラ等の最近の撮像装置は、記録媒体として、磁気テープではなく、光ディスク、ハードディスクドライブ又はフラッシュメモリ等のランダムアクセス媒体を使用する。また、デジタルビデオカメラに静止画記録機能が装備され、デジタルスチルカメラに動画記録機能が装備されるようになってきている。
【０００５】
動画記録では、ユーザによる記録指示の前に、撮像装置本体内の一時メモリ又は不揮発性メモリに一定時間分の動画を記録するプレ記録機能又はプリレコーディング機能が知られている。例えば、特許文献１，２を参照。
【０００６】
プレ記録では、短時間ではあるが、ユーザが実際に記録開始を指示する前の映像を動画として記録できるので、ユーザの記録開始の遅れを回復できる。また、被写体の動きの変化などにより発生した好ましいシーンの撮り逃しを防止できる。
【０００７】
一方、再生モードでは、希望のシーンを高速に発見できるように、通常再生速度よりも高速に再生する再生サーチ又は再生サーチモードを装備するのが普通である。再生サーチは、適当にフレームを間引くことで容易に実現できる。再生サーチモードでは、ユーザが再生画像を見ながら、シーンの送り又は戻しを行うことが可能である。これにより、ユーザは、速やかに所望シーンを発見でき、そのシーンから通常再生を開始できる。
【発明の概要】
【発明が解決しようとする課題】
【０００８】
従来の撮像装置では、再生サーチの際に、プレ記録されたシーンと、これに続く、ユーザの記録開始と終了の指示で録画された本記録のシーンとを区別しない。すなわち、サーチ再生では、プレ記録の先頭シーンから順に高速再生が実行される。
【０００９】
ユーザの再生希望が本記録期間の記録映像である場合、ユーザは、プレ記録期間のサーチ再生が終了し、本記録期間のサーチ再生が開始されるのを待たなければならない。
【００１０】
本発明は、このような不都合を解消した撮像装置を提示することを目的とする。
【課題を解決するための手段】
【００１１】
本発明に係る撮像装置は、撮像手段と、記録媒体と、動画の記録開始と記録停止を指示する記録開始停止手段と、前記記録開始の指示に従い、前記撮像手段による動画像を前記記録媒体に記録し、前記記録停止の指示に従い、前記記録媒体への記録を停止する通常記録モードと、前記記録開始の指示に従い、前記記録開始の指示に先行するプレ記録期間を含めて前記撮像手段による動画像を前記記録媒体に記録し、前記記録停止の指示に従い、前記記録媒体への記録を停止するプレ記録モードを具備する記録処理手段であって、前記プレ記録モードで前記記録媒体に記録される動画のプレ記録時間を示す情報を記録する記録処理手段と、前記記録媒体に記録される動画をサーチ再生する再生処理手段であって、前記記録媒体に記録される動画が前記プレ記録モードで記録された動画である場合に、正方向サーチのときには、前記記録開始の指示に相当する位置からサーチ再生を開始し、逆方向サーチのときには、前記記録開始の指示に相当する位置でサーチ再生を終了する再生処理手段とを具備することを特徴とする。
本発明に係る撮像装置は、撮像手段と、記録媒体と、動画の記録開始と記録停止を指示する記録開始停止手段と、前記記録開始の指示に従い、前記撮像手段による動画像を前記記録媒体に記録し、前記記録停止の指示に従い、前記記録媒体への記録を停止する通常記録モードと、前記記録開始の指示に従い、前記記録開始の指示に先行するプレ記録期間を含めて前記撮像手段による動画像を前記記録媒体に記録し、前記記録停止の指示に従い、前記記録媒体への記録を停止するプレ記録モードを具備する記録処理手段であって、前記記録媒体に記録される動画のプレ記録時間を示す情報を記録する記録処理手段と、前記記録媒体に記録される動画をサーチ再生する再生処理手段であって、正方向サーチの場合は、前記記録開始の指示に相当する位置からサーチ再生を開始し、逆方向サーチの場合は、前記録開始の指示に相当する位置でサーチ再生を終了する再生処理手段とを具備することを特徴とする。
【発明の効果】
【００１２】
本発明によれば、プレ記録モードで記録された動画に対し、記録の先頭ではなく、ユーザの指示による本記録の開始指示に相当する位置から再生サーチを行うので、プレ記録部分がサーチ画面として表示されることがなくなる。これにより、ユーザが希望すると考えられる撮影シーンから速やかにサーチを行うことが可能となる。
【図面の簡単な説明】
【００１３】
【図１】本発明の一実施例の概略構成ブロック図である。
【図２】本実施例の記録時の動作フローチャートである。
【図３】本実施例の正方向再生サーチ時の動作フローチャートである。
【図４】本実施例の通常記録モードで記録された動画に対するサーチ再生の動作説明図である。
【図５】本実施例のプレ記録モードで記録された動画に対するサーチ再生の動作説明図である。
【図６】本実施例の逆方向再生サーチの場合の動作フローチャートである。
【発明を実施するための形態】
【００１４】
以下、図面を参照して、本発明の実施例を詳細に説明する。
【実施例１】
【００１５】
図１は、本発明に係る撮像装置の一実施例の概略構成ブロック図を示す。撮像素子１０は、被写体を含む光学像を電気画像信号に変換する。アナログフロントエンド回路（ＡＦＥ）１２は、撮像素子１０からのアナログ画像信号をサンプリングし、デジタル信号に変換する。カメラ信号処理回路１４は、ＡＦＥ回路１２からの画像データを所定規格の映像データに変換する。記録再生処理回路１６は、カメラ信号処理回路１４からの映像データを記録媒体２２への記録用に処理する記録処理手段と、記録媒体２２からの圧縮映像データを再生処理する再生処理手段からなる。記録再生処理回路１６は、所定の動画圧縮方式で映像データを圧縮符号化し、圧縮映像データを復号化する圧縮伸長回路を含む。記録再生処理回路１６は、メモリ制御回路１８を介して一時メモリ２０及び記録媒体２２にデータを読み書きすることができる。一時メモリ２０は、記録再生処理回路１６の記録処理および再生処理の際の一時データを格納するのに使用される。記録媒体２２は、半導体不揮発メモリ、光ディスク又はハードディスク装置等からなる。
【００１６】
システム制御回路２４は、以下の操作手段によるユーザの指示及び動作状態に従い、本実施例の動作を統括的に制御する。動画記録開始停止スイッチ２６は、動画の記録開始と記録停止をユーザがシステム制御回路２４に指示するのに使用されるトグルスイッチである。記録モード切替えスイッチ２８は、通常記録モードとプレ記録モードの切り替えをシステム制御回路２４に指示するのに使用される。動作モード切替えスイッチ３０は、撮影モード（記録モード）と再生モードの切り替えをユーザがシステム制御回路２４に指示するのに使用される。メニューキー３２は、本実施例の各種設定を行うメニュー画面においてメニュー項目の選択と決定をシステム制御回路２４に指示するのに使用される。再生キー３４は、再生モードにおいて、動画の再生、停止、一時停止、送り及び戻りなどをシステム制御回路２４に指示する複数のキースイッチからなる。
【００１７】
記録再生処理回路１６は、撮影モードでのカメラ信号処理回路１４からの映像信号をモニタ用に表示装置３６に供給し、再生モードでは、記録媒体２２から再生した再生映像信号を表示装置３６に供給する。記録再生処理回路１６はまた、映像入出力端子３８からの映像信号を記録処理して記録媒体２２に記録でき、記録媒体２２から再生した再生映像信号を映像入出力端子３８から外部に出力することができる。
【００１８】
音声信号の記録再生処理の説明を省略してあるが、音声も記録再生する場合、そのための音声信号処理系が追加されることは明らかである。そのような構成は、周知であり、本発明の特徴的な機能とも関係しないので、図示及び説明を省略する。
【００１９】
本実施例における画像信号の基本的な流れを説明する。撮影モードでは、撮像素子１０は、入射する光学像に応じた画像信号をＡＦＥ回路１２に出力する。ＡＦＥ回路１２は、撮像素子１０からの画像信号をサンプリングし、デジタル信号に変換する。カメラ信号処理回路１４は、ＡＦＥ回路１２からの画像データにガンマ補正及び色調整を行い、所定規格の映像信号を出力する。
【００２０】
記録再生処理回路１６は、カメラ信号処理回路１４からの映像データをモニタ用に処理して表示装置３６に供給し、必要時には、カメラ信号処理回路１４からの映像データを映像入出力端子３８に出力する。撮影モードのプレ記録期間又は本記録期間では、記録再生処理回路１６は、一時メモリ２０をワークメモリとして使用して、カメラ信号処理回路１４からの映像データを圧縮符号化する。圧縮符号化で生成された圧縮データは、メモリ制御回路１８により一時メモリ２０に一時的に格納され、その後、記録媒体２２に転送される。記録媒体２２は一般に、大容量でありながら、書込み読み出し速度が不十分である。そこで、記録媒体２２より高速ではあるが小容量の一時メモリ２０を、圧縮データを記録媒体２２に書き込む際のバッファとしても使用する。
【００２１】
プレ記録モードでは、一時メモリ２０は、プレ記録期間の一定時間分の圧縮映像データを保持する手段として使用される。プレ記録期間の圧縮映像データを格納する領域をリングバッファ構成とすることで、容易に、一定時間分の圧縮映像データを保持するように構成できる。規定時間分の圧縮映像データがリングバッファに格納された後は、フレーム単位で、最も古い圧縮データを最も新しい圧縮データで更新すれば良い。
【００２２】
再生モードでは、システム制御回路２４により指定された動画像の圧縮映像データが記録媒体２２から読み出され、メモリ制御回路１８を介して記録再生処理回路１６に供給される。記録再生処理回路１６は、記録媒体２２からの圧縮映像データを伸長し、再生映像信号を表示装置３６及び／又は映像入出力端子３８に供給する。表示装置３６は再生画像を表示する。これにより、ユーザは、指定した記録動画像を観察できる。
【００２３】
撮影モードでの記録動作を詳細に説明する。システム制御回路２４は、記録モード切替えスイッチ２８および動画記録開始停止スイッチ２６の操作に応じて、カメラ信号処理回路１４及び記録再生処理回路１６を以下のように制御する。
【００２４】
ユーザは、動作モード切替えスイッチ３０を使ってシステム制御回路２４に撮影モードへの切替えを指示する。さらに、記録モード切替えスイッチ２８を操作することで、通常記録モードかプレ記録モードかをシステム制御回路２４に指示する。
【００２５】
通常記録モードでは、記録待機状態でユーザが動画記録開始停止スイッチ２６を押下すると、記録が開始し、記録中にユーザが動画記録開始停止スイッチ２６を押下すると、記録が停止して記録待機状態に戻る。
【００２６】
一方、プレ記録モードでは、ユーザが動画記録開始停止スイッチ２６を押下しない本記録待機状態で、所定時間、例えば３秒間の動画が一時メモリ２０に記憶されている。そして、動画記録開始停止スイッチ２６の押下で、本記録が開始されが、その際、一時メモリ２０に記憶されたプレ記録の圧縮映像データが、本記録の圧縮映像データに先立って記録媒体２２に先に記録される。すなわち、プレ記録モードでは、記録開始の指示に先行するプレ記録期間を含めて、カメラ信号処理回路１４からの動画像の圧縮データを記録媒体２２に記録する。記録中にユーザが動画記録開始停止スイッチ２６を押下すると、記録停止して記録待機状態に戻る。記録待機状態では、先に説明したように、一時メモリ２０に常時、一定時間分のプレ記録の動画が記憶される。
【００２７】
本実施例では、プレ記録モードで記録媒体２２に記録された動画に対して、プレ記録期間の映像をサーチ再生開始時の対象から除外する。そのために、本実施例では、プレ記録期間又はその位置を再生時に判別するための情報を記録媒体２２に同時に記録することにした。図２は、プレ記録期間又はその位置を再生時に判別するための情報としてのサーチオフセット時間情報を記録する動作のフローチャーを示す。
【００２８】
動画記録開始停止スイッチ２６による記録指示に応じて、システム制御回路２４は、プレ記録モードか通常記録モードかを判別する（Ｓ１）。プレ記録モードの場合（Ｓ１）、プレ記録モードを示す記録モード情報を取得し、記録シーンのメタ情報として記録媒体２２に記録する（Ｓ２）。
【００２９】
実際に記録されたプレ記録期間を、プレ記録期間の設定値と比較する（Ｓ３）。実際に記録されたプレ記録期間は、先に説明したように、プレ記録期間の設定値を越えることは無い。すなわち、プレ記録期間の設定値はプレ記録期間の上限値となる。
【００３０】
実際に記録されたプレ記録期間がプレ記録期間の設定値より小さい場合には、実際に記録されたプレ記録期間を、サーチ開始オフセット時間情報とする。そして、このサーチ開始オフセット時間情報を記録シーンのメタ情報として記録媒体２２に記録する（Ｓ４）。
【００３１】
他方、実際に記録されたプレ記録期間がプレ記録期間の設定値以上の場合には、プレ記録期間の設定値をサーチ開始オフセット時間情報とする。そして、このサーチ開始オフセット時間情報を記録シーンのメタ情報として記録媒体２２に記録する（Ｓ５）。
【００３２】
通常記録モードの場合（Ｓ１）、プレ記録モードを示す記録モード情報を取得し、記録シーンのメタ情報として記録媒体２２に記録する（Ｓ６）。
【００３３】
ステップＳ４〜Ｓ６の後、ユーザによる動画記録開始停止スイッチ２６の操作（記録終了指示）があるまで、当該シーンの記録媒体２２への記録を継続する。記録終了指示があると（Ｓ７）、記録動作を終了する。
【００３４】
再生モードの動作を説明する。ユーザが動作モード切替えスイッチ３０を再生モードに切り替えると、システム制御回路２４は、記録再生処理回路１６を再生モードで動作させる。
【００３５】
再生モードでは、ユーザは、再生キー３４を操作することで、再生対象となる動画の再生、停止及び一時停止による通常再生と、送り及び戻しなどの特殊再生をシステム制御回路２４に指示できる。動画再生中に送りキーを操作することで、正方向サーチ再生が実行され、戻しキーを操作することで、逆方向サーチ再生が実行される。さらに、一時停止中に送りキーを操作することで、次の動画の頭出しを行い、戻りキーを操作することで、一時停止中の動画の頭出しを実行する。
【００３６】
図３は、サーチ再生の動作フローチャートを示す。再生モードにおいて、再生キー３４により正方向の再生サーチが指示されると、システム制御回路２４は、再生対象の動画がプレ記録付きか否かを判別する（Ｓ１１）。その判別のために、再生対象の動画にメタ情報として記録されている記録モード情報を読み出す。そして、プレ記録モードで記録された動画の場合、メタ情報として記録されているサーチ開始オフセット時間情報を取得する（Ｓ１２）。再生対象の動画がプレ記録無しで記録された場合（Ｓ１１）、すなわち、通常記録モードで記録されたものである場合、サーチ開始オフセットに０をセットする（Ｓ１３）。
【００３７】
ステップＳ１２又はＳ１３でセットされたサーチ開始オフセット値を再生開始位置として（Ｓ１４）、サーチ再生を開始する（Ｓ１５）。
【００３８】
図３に示す処理により、通常記録モードで記録された動画は、最初からサーチ再生されるが、プレ記録モードで記録された動画は、プレ記録期間を経過した時点からサーチ再生が開始される。
【００３９】
図４は、通常記録モードで記録された動画の再生シーケンスの模式図を示す。図４で、時間は左から右に進行する。図４（Ａ）は、被写体画像例を示す。図４（Ｂ）は、通常記録モードの記録期間を示す。図４（Ｃ）は、サーチ期間を示す。図４（Ｄ）は、サーチ対象の画像例を示す。通常記録モードでは、記録媒体２２に記録された動画の全範囲がサーチの対象となる。
【００４０】
図５は、プレ記録モードで記録された動画の再生シーケンスの模式図を示す。図５で、時間は左から右に進行する。図５（Ａ）は、被写体画像例を示す。図５（Ｂ）は、プレ記録期間と本記録期間を示す。図５（Ｃ）は、サーチ期間を示す。図５（Ｄ）は、サーチ対象の画像例を示す。図５（Ｄ）に示すように、本実施例では、図３に示すフローにより、プレ記録モードで記録された動画のうち、プレ記録期間の動画は、サーチの対象にならず、本記録の開始点からサーチ再生が開始される。
【００４１】
図６は逆方向サーチ再生の動作フローチャートを示す。再生キー３４により逆方向サーチ再生が指示されると、まず、再生対象動画がプレ記録モードで記録されたか通常記録モードで記録されたかを判別する（Ｓ２１）。プレ記録モードで記録された動画の場合（Ｓ２1）、サーチ開始オフセット時間情報をサーチ終了オフセットとして取得する（Ｓ２２）。通常記録モードで記録された動画の場合（Ｓ２1）、サーチ終了オフセットにゼロをセットする（Ｓ２３）。
【００４２】
ステップＳ２２又はＳ２３でセットされたサーチ終了オフセット値を終了位置として（Ｓ２４）、逆方向サーチ再生を開始する。
【００４３】
図３に示す制御では、正方向サーチ再生の開始点を制御する。一方、図６に示す制御では、逆方向サーチ再生の終了点を制御する。従って、プレ記録モードで記録された動画であっても、一時停止中に送り又は戻り操作された場合には、頭出しされるため記録開始点まで遡ることが可能である。
【００４４】
本実施例では、撮影時に記録シーンのメタ情報として記録モード情報とサーチオフセット時間情報を記録し、再生サーチ時に前記メタ情報を読み出して、サーチ制御に利用している。しかし、記録シーンの動画データに埋め込む以外に、シーンごとの管理情報として記録媒体の別ファイルに記録しても良いことは明らかである。
【００４５】
本実施例では、記録時にサーチオフセット時間情報又はプレ記録時間情報を記録し、再生時にこの情報を取得している。しかし、記録時にプレ記録モードでのプレ記録時間及び／又はユーザによる記録指示のタイミング情報を記録することでも、再生時にサーチオフセット時間を算出および設定できる。
【００４６】
プレ記録モードで記録された動画に対し、ユーザが撮影の好機と判断してから記録開始の指示を入力するまでの遅れを考慮し、この遅れ時間分だけ、サーチオフセット時間を短縮してもよい。すなわち、ユーザが記録開始の指示を入力したと想定できる時点を実質的な本記録開始指示位置とみなし、この本記録開始指示位置からサーチ再生を開始する。
【００４７】
本実施例では、プレ記録モードで記録された動画に対し、記録の先頭ではなく、ユーザの指示による本記録開始指示に相当する位置から再生サーチを行うので、プレ記録部分がサーチ画面として表示されることがなくなる。この結果、ユーザが希望すると考えられる撮影シーンから速やかにサーチを行うことが可能となる。
【符号の説明】
【００４８】
１０：撮像素子      １２：アナログフロントエンド（ＡＦＥ）回路
１４：カメラ信号処理回路      １６：記録再生処理回路
１８：メモリ制御回路      ２０：一時メモリ
２２：記録媒体      ２４：システム制御回路
２６：動画記録開始停止スイッチ      ２８：記録モード切替えスイッチ
３０：動作モード切替えスイッチ      ３２：メニューキー
３４：再生キー
【図１】
2010212802.tif 000003
【図２】
2010212802.tif 000004
【図３】
2010212802.tif 000005
【図４】
2010212802.tif 000006
【図５】
2010212802.tif 000007
【図６】
2010212802.tif 000008